(57)【要約】      （修正有）【課題】複数の突破口を有するキャップ構造及びスライダー組立構造体を提供する。【解決手段】キャップ構造はキャップ本体４及び弾性片５を含む。キャップ本体は、互いに対応する少なくとも２つの第１の内凹溝４０Ａと、それぞれ２つの第１の内凹溝から延び出す少なくとも２つの第１の保持ブロック４１Ａと、それぞれ２つの第１の保持ブロックと近接するように設けられる少なくとも２つの第１の貫通孔４２Ａと、を備える。キャップ本体は内面４００、外面４０１、及び内面と外面との間に連結される下面４０２を有し、２つの第１の内凹溝はキャップ本体の内面に配置され、２つの複数の突破口における２つの突破口をキャップ本体の内面と外面との間に形成するように、第１の貫通孔はキャップ本体を貫通するように構成される。弾性片はキャップ本体の内面に配置され、複数の第１の保持ブロックにおける２つの第１の保持ブロックに接触することにより、２つの第１の保持ブロックにより係止される。【選択図】図５
0003220567.tif 000002
【実用新案登録請求の範囲】
【請求項１】
キャップ本体及び弾性片を備えるキャップ構造であって、
前記キャップ本体は、互いに対応する少なくとも２つの第１の保持ブロックと、互いに対応すると共にそれぞれが少なくとも２つの前記第１の保持ブロックと近接するように構成される第１の貫通孔とを備え、
前記キャップ本体は内面、外面、及び前記内面と前記外面との間に連結される下面を備え、かつ、前記キャップ本体の前記内面と前記外面との間に複数の突破口における２つの前記突破口を形成するために、少なくとも２つの前記第１の貫通孔は前記キャップ本体を貫通するように構成され、
前記弾性片は前記キャップ本体の前記内面に設けられ、
前記弾性片を少なくとも２つの前記第１の保持ブロックにより係止されるように、少なくとも２つの前記第１の保持ブロックは前記弾性片と接触されており、
また、前記第１の保持ブロック毎の内面は前記キャップ本体の前記内面から内方に延びて、かつ、前記第１の保持ブロック毎の内面は前記キャップ本体の前記内面に対して第１の調整可能な角度を傾き、
また、前記第１の保持ブロック毎には、第１の上側端面、前記第１の上側端面と対向するように設けられる第１の下側端面、及び前記第１の上側端面と前記第１の下側端面との間に連結される第１の前端面が備えられて、かつ、前記弾性片は少なくとも２つの前記第１の保持ブロックの２つの前記第１の上側端面により支持され、予定平面に維持され、前記第１の調整可能な角度の変更により変化されない、キャップ構造。
【請求項２】
前記キャップ本体は、互いに対応する少なくとも２つの第１の内凹溝を備え、
少なくとも２つの前記第１の保持ブロックはそれぞれ、少なくとも２つの前記第１の内凹溝から延び出して、前記キャップ本体の前記内面に設けられる、請求項１に記載するキャップ構造。
【請求項３】
少なくとも２つの前記第１の内凹溝は角状に配置してなるように前記キャップ本体の前記内面に配置され、少なくとも２つの前記第１の内凹溝のそれぞれは前記キャップ本体の反対する２つの末端と近接するように形成され、
少なくとも２つの前記第１の保持ブロックは角状に配置してなるように少なくとも２つの前記第１の内凹溝にそれぞれ配置され、少なくとも２つの前記第１の保持ブロックはそれぞれ前記キャップ本体の反対する２つの末端と近接するように形成され、少なくとも２つの前記第１の貫通孔は角状に配置してなるように前記キャップ本体の前記外面に配置され、かつ、少なくとも２つの前記第１の貫通孔はそれぞれ、前記キャップ本体の反対する２つの末端と近接するように形成される、請求項２に記載するキャップ構造。
【請求項４】
前記第１の内凹溝毎には、前記キャップ本体の前記下面と連結される第１の末端と、前記第１の末端と反対するように形成られると共に前記キャップ本体の前記下面から離れるように形成される第２の末端と、が備えられ、
前記第１の内凹溝の幅は前記第１の末端から前記第２の末端に向かって徐々に狭くなる、請求項２に記載するキャップ構造。
【請求項５】
キャップ本体には、互いに対応する少なくとも２つの第２の内凹溝と、互いに対応すると共に少なくとも２つの前記第２の内凹溝からそれぞれ延び出す少なくとも２つの第２の保持ブロックと、互いに対応すると共に少なくとも２つの前記第２の保持ブロックとそれぞれ近接するように構成される少なくとも２つの第２の貫通孔と、が備えられ、
少なくとも２つの前記第２の内凹溝は前記キャップ本体の前記内面に設けられ、
前記キャップ本体の前記内面と前記外面との間に他の２つの前記突破口を形成するように、少なくとも２つの前記第２の貫通孔は前記キャップ本体を貫通するように構成され、
前記弾性片を少なくとも２つの前記第２の保持ブロックにより係止するように、少なくとも２つの前記第２の保持ブロックを前記弾性片に接続させ、
前記第２の保持ブロックごとの内面が前記キャップ本体の前記内面から内方に延びて、かつ、前記第２の保持ブロックごとの内面が前記キャップ本体の前記内面に対して第２の調整可能な角度を傾斜し、
前記第２の保持ブロック毎には、第２の上側端面、前記第２の上側端面と対向するように配置される第２の下側端面、及び前記第２の上側端面と前記第２の下側端面との間に連結される第２の前端面が備えられ、かつ、前記弾性片が前記第２の調整可能な角度の変更により変化されないために、前記予定平面に維持されるように、前記弾性片が少なくとも２つの前記第２の保持ブロックにおける２つの前記第２の上側端面により支持される、請求項１に記載するキャップ構造。
【請求項６】
少なくとも２つの前記第２の内凹溝は、角状に配置してなると共に、それぞれ前記キャップ本体の反対する２つの末端と近接するように、前記キャップ本体の前記内面に設けられ、
少なくとも２つの前記第２の保持ブロックは、角状に配置してなるようにそれぞれ少なくとも２つの前記第２の内凹溝に配置され、
少なくとも２つの前記第２の保持ブロックはそれぞれ前記キャップ本体の反対する２つの末端と近接し、
少なくとも２つの前記第２の貫通孔は、角状に配置してなると共に、それぞれ前記キャップ本体の反対する２つの末端と近接するように、前記キャップ本体の前記外面に設けられる、請求項５に記載するキャップ構造。
【請求項７】
鉤溝を有する第１の固定座と、鉤孔を有する第２の固定座と、を備える摺動体と、
末端部が前記第１の固定座と前記第２の固定座との間に配置される引手と、
前記鉤溝に配置される第１の末端部と前記鉤孔を通過する第２の末端部とを含み、前記摺動体に配置される引手保持部と、
一反対する２つの末端部がそれぞれ前記第１の固定座と前記第２の固定座とに配置され、互いに対応する少なくとも２つの第１の保持ブロック、及び互いに対応すると共にそれぞれが少なくとも２つの前記第１の保持ブロックと近接する少なくとも２つの第１の貫通孔を含み、内面、外面、及び前記内面と前記外面との間に連結される下面を備え、かつ少なくとも２つの前記第１の貫通孔が前記内面と前記外面との間に２つの前記突破口を構成するために前記キャップ本体を貫通する、キャップ本体と、
前記引手保持部に当接するよう前記キャップ本体における前記内面と前記引手保持部との間に配置され、少なくとも２つの前記第１の保持ブロックに接触されることにより、少なくとも２つの前記第１の保持ブロックにより係止される弾性片と、
を備え、
前記第１の保持ブロック毎の内面は前記キャップ本体の前記内面から内方へ延びて、かつ前記第１の保持ブロック毎の内面は前記キャップ本体における前記内面に対して第１の調整可能な角度を傾斜し、
前記第１の保持ブロック毎には、第１の上側端面、前記第１の上側端面と対向するように配置される第１の下側端面、及び前記第１の上側端面と前記第１の下側端面との間に連結される第１の前端面を備え、かつ、前記弾性片は、少なくとも２つの前記第１の保持ブロックにおける２つの前記第１の上側端面により支持されることにより、予定平面に維持され前記第１の調整可能な角度の変更により変化されない、スライダー組立構造体。
【請求項８】
前記キャップ本体は互いに対応する少なくとも２つの第２の内凹溝、互いに対応すると共にそれぞれが少なくとも２つの前記第２の内凹溝から伸び出す少なくとも２つの第２の保持ブロック、及び対応すると共にそれぞれが少なくとも２つの前記第２の保持ブロックと近接する少なくとも２つの第２の貫通孔を備え、
少なくとも２つの前記第２の内凹溝は前記キャップ本体の前記内面に設けられ、少なくとも２つの前記第２の貫通孔は前記キャップ本体を貫通することにより、前記キャップ本体の前記内面と前記外面との間に他の２つの前記突破口を構成し、
少なくとも２つの前記第２の保持ブロックが前記弾性片に接触することにより、前記弾性片を少なくとも２つの前記第２の保持ブロックにより係止し、
前記第２の保持ブロックの内面は前記キャップ本体の前記内面から内方へ延びて、かつ、前記第２の保持ブロック毎の内面は前記キャップ本体の前記内面に対して第２の調整可能な角度を傾斜し、
前記第２の保持ブロック毎は、第２の上側端面、前記第２の上側端面と対向するように配置される第２の下側端面、及び前記第２上側端面と前記第２の下側端面との間に連結される第２の前端面を備え、かつ、前記弾性片は少なくとも２つの前記第２の保持ブロックにおける２つの前記第２の上側端面により支持され、前記予定平面に維持され、前記第２の調整可能な角度が変更することにより変化されない、請求項７に記載するスライダー組立構造体。
【請求項９】
少なくとも２つの前記第２の内凹溝は角状に配置してなるように前記キャップ本体の前記内面に設けられ、かつ、少なくとも２つの前記第２の内凹溝はそれぞれ前記キャップ本体における反対する２つの末端と近接し、
少なくとも２つの前記第２の保持ブロックは角状に配置してなるように少なくとも２つの前記第２の内凹溝にそれぞれ配置され、かつ、少なくとも２つの前記第２の保持ブロックはそれぞれ前記キャップ本体の反対する２つの末端に近接し、
少なくとも２つの前記第２の貫通孔角状に配置してなるように前記キャップ本体の前記外面に配置され、かつ、少なくとも２つの前記第２の貫通孔はそれぞれ前記キャップ本体の反対する２つの末端に近接する、請求項８に記載するスライダー組立構造体。
【請求項１０】
摺動体と、
前記摺動体に配置される引手保持部と、
末端部が前記摺動体と前記引手保持部との間に配置される引手と、
少なくとも２つの保持ブロック及び少なくとも２つの貫通孔が備えられて、前記摺動体に配置されるキャップ本体と、
前記引手保持部に当接するように前記キャップ本体内に配置される弾性片と、
を備え、
また、前記保持ブロック毎の内面は前記キャップ本体の前記内面に対して調整可能な角度を傾斜し、かつ、前記弾性片は前記保持ブロック毎により支持され、予定平面に維持されて、前記調整可能な角度の変更により変化されない、スライダー組立構造体。
【考案の詳細な説明】
【技術分野】
【０００１】
本考案はキャップ構造及びスライダー組立構造体に関し、特に複数の突破口を有するキャップ構造及びスライダー組立構造体に関する。
【背景技術】
【０００２】
一般に、スライドファスナーは衣類またはアクセサリーの基本要素である。ボタンと比較して、スライドファスナーは使いやすくなっている。従来のスライドファスナーは、スライダーおよびテープを含む。スライダーは主にテープと合わせてスライドファスナーを往復して引っ張るための連結結構としている。最近、ファスナーは衣服、ズボン、バックパック、及びその他のアクセサリーに広く使われている。
【先行技術文献】
【特許文献】
【０００３】
【特許文献１】特開２０１２−２００８４８号公報
【考案の概要】
【考案が解決しようとする課題】
【０００４】
本考案が解決しようとする技術的な課題は、既存技術の不足について、キャップ構造及びスライダー組立構造体を提供する。
【課題を解決するための手段】
【０００５】
上記の課題を解決するために、本考案が採用する１つの技術的な手段は、摺動体、引手保持部、引手、キャップ本体及び弾性片を備える、スライダー組立構造体及びそのキャップ本体を提供する。前記引手保持部は前記摺動体に設けられる。前記引手の末端部が前記摺動体と前記引手保持部との間に配置される。前記キャップ本体は前記前記摺動体に配置されている、かつ、前記キャップ本体には少なくとも２つの保持ブロックと、少なくとも２つの貫通孔とが備えられる。前記弾性片が前記引手保持部に当接するように前記キャップ本体内に配置される。中でも、各前記保持ブロックの内面は、前記キャップ本体の前記内面に対して調整可能な角度を傾斜している。かつ、前記弾性片は、前記調整可能な角度の変更により変化されないように、各前記保持ブロックにより予定平面に維持される。
【考案の効果】
【０００６】
本考案における１つの有益な効果としては、本考案が提供するキャップ構造及びスライダー組立構造体は、「各前記保持ブロックの内面は、前記キャップ本体の前記内面に対して調整可能な角度を傾斜している。」、及び「前記弾性片は、前記調整可能な角度の変更により変化されないように、各前記保持ブロックにより予定平面に維持される。」という技術事項により、前記弾性片を前記調整可能な角度の変更により変化されないように、各前記保持ブロックにより予定平面に維持されることができる。
【図面の簡単な説明】
【０００７】
【図１】本考案に係る第１の実施形態のスライダー組立構造体を示す斜視分解模式図である。
【図２】本考案に係る第１の実施形態のスライダー組立構造体を示す斜視組立模式図である。
【図３】図２におけるＩＩＩ−ＩＩＩ断面を示す断面模式図である。
【図４】本考案に係る第１の実施形態のキャップ構造を示す斜視模式図である。
【図５】本考案に係る第１の実施形態のキャップ構造を示す底面模式図である。
【図６】図４におけるＶＩ−ＶＩ断面を示す断面模式図である。
【図７】本考案に係る第１の実施形態においてキャップ構造に２つの第１の保持ブロックが形成される前の状態を示す模式図である。
【図８】本考案に係る第１の実施形態においてキャップ構造に２つの第１の保持ブロックが形成された後の状態を示す模式図である。
【図９】本考案に係る第１の実施形態において他のキャップ構造を示す底面模式図である。
【図１０】本考案に係る第２の実施形態のキャップ構造を示す斜視模式図である。
【図１１】本考案に係る第２の実施形態のキャップ構造を示す底面模式図である。
【図１２】図１０におけるＸＩＩ−ＸＩＩ断面を示す断面模式図である。
【図１３】本考案に係る第２の実施形態において他のキャップ構造を示す底面模式図である。
【考案を実施するための形態】
【０００８】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【０００９】
［第１の実施形態］
図１ないし図６を参照する。本考案に係る第１の実施形態は摺動体１（スライダー胴体も称する）、引手２（引き片も称する）、引手保持部３（馬鉤も称する）、キャップ本体４（キャップも称する）、及び弾性片５（板ばねも称する）を備えるスライダー組立構造体Ｚを提供する。かつ、キャップ本体４と弾性片５とは複数の突破口を有するキャップ構造Ｓを形成するように組み合わせることができる。
【００１０】
まず、図１ないし図３に示すように、摺動体１は第１の固定座１１及び第２の固定座１２を有する。第１の固定座１１には盲穴に形成される鉤溝１１０が備えられ、第２の固定座１２には穿孔に形成される鉤孔１２０が備えられる。引手２の末端部２０は第１の固定座１１と第２の固定座１２との間に形成された収納空間１３内に配置される。引手保持部３は摺動体１配置される。引手保持部３の反対する２つの末端のそれぞれに、鉤溝１１０内に配置される第１の末端部３１と、以形成一止め部を形成するように鉤孔１２０を通過する第２の末端部３２とを有する。キャップ本体４の反対する２つの末端部（４１、４２）はそれぞれ第１の固定座１１及び第２の固定座１２に設けられる。例えば、図２及び図３に示すように、弾性片５は引手保持部３に当接するように、キャップ本体４の内面４００と引手保持部３との間に配置される。かつ、引手保持部３又は弾性片５はいずれも摺動体１とキャップ本体４との間に包まれている。
【００１１】
また、図４ないし図６に示すように、キャップ本体４は互いに対応する少なくとも２つの第１の内凹溝４０Ａと、互いに対応すると共にそれぞれ２つの第１の内凹溝４０Ａから延び出す少なくとも２つの第１の保持ブロック４１Ａと、互いに対応すると共にそれぞれが少なくとも２つの第１の保持ブロック４１Ａと近接する少なくとも２つの第１の貫通孔４２Ａと、を備える。かつ、弾性片５を２つの第１の保持ブロック４１Ａにより係止するために、２つの第１の保持ブロック４１Ａは弾性片５に接触又は当接する。また、キャップ本体４は内面４００、外面４０１、及び内面４００と外面４０１との間に連結される下面４０２を有する。中でも、２つの第１の内凹溝４０Ａはキャップ本体４の内面４００に凹設され、かつ、キャップ本体４の内面４００と外面４０１との間に複数の突破口における２つの突破口を形成するように（即ち、キャップ本体４の外面４０１から内向きに目打ちされた突破口）、２つの第１の貫通孔４２Ａがキャップ本体４を貫通するように構成されてもよい。それにより、２つの第１の内凹溝４０Ａは予めにキャップ本体４の内面４００に形成するため、キャップ本体４における内面４００と外面４０１との間に位置される厚さは効果的に小さくすることができる（即ち、厚さが小さく形成されるように材料が薄くされる）。それにより、本考案は機械目打ちの手段により、第１の貫通孔４２Ａと第１の保持ブロック４１Ａを簡単に同時に形成することができる。
【００１２】
さらに言えば、図５に示すように、２つの第１の内凹溝４０Ａは角状に配置してなるようにキャップ本体４の内面４００に設けられると共に、２つの第１の内凹溝４０Ａがそれぞれキャップ本体４の反対する２つの末端（４０１１、４０１２）と近接される。２つの第１の保持ブロック４１Ａはそれぞれ角状に配置してなるように２つの第１の内凹溝４０Ａ内に配置され、かつ、２つの第１の保持ブロック４１Ａはそれぞれキャップ本体４の反対する２つの末端（４０１１、４０１２）と近接するように構成される。２つの第１の貫通孔４２Ａは角状に配置してなるようにキャップ本体４の外面４０１に設けられると共に、２つの第１の貫通孔４２Ａはそれぞれキャップ本体４の反対する２つの末端（４０１１、４０１２）に近接するように設けられる。つまり、２つの第１の内凹溝４０Ａ及び２つの第１の保持ブロック４１Ａはいずれもキャップ本体４の内面４００の側辺に位置され、２つの第１の貫通孔４２Ａはキャップ本体４の外面４０１の側辺に位置される。そのため、２つの第１の内凹溝４０Ａ、２つの第１の保持ブロック４１Ａ又は２つの第１の貫通孔４２Ａの位置はおおよそキャップ本体４の反対する２つの末端（４０１１、４０１２）が９０度に回転した位置に相当する。
【００１３】
例えば、図４に示すように、第１の内凹溝４０Ａ毎に、キャップ本体４の下面４０２と連結する第１の末端４０１Ａと、第１の末端４０１Ａと反対するように設けられると共にキャップ本体４の下面４０２から離れる第２の末端４０２Ａと、を備える。かつ、第１の内凹溝４０Ａの幅Ｗは第１の末端４０１Ａから第２の末端４０２Ａに向かって徐々に狭くなる。また、図５及び図６に示すように、第１の保持ブロック４１Ａのそれぞれは対応する第１の内凹溝４０Ａの第２の末端４０２Ａと近接し、かつ第１の貫通孔４２Ａのそれぞれは対応する第１の内凹溝４０Ａの第２の末端４０２Ａと近接するように構成される。
【００１４】
注目に値するのは、図４ないし図６に示すように、第１の保持ブロック４１Ａ（即ち、保持ブロック）毎の内面４１０Ａはキャップ本体４の内面４００から内方に横に延びるように構成され（即ち、キャップ本体４の短軸方向ではなく、長軸方向に沿って延びるように構成される）、かつ、第１の保持ブロック４１Ａ毎の内面４１０Ａはキャップ本体４の内面４００に対して第１の調整可能な角度θ１（即ち、調整可能な角度）を傾斜するように構成される。また、第１の保持ブロック４１Ａ毎は、第１の上側端面４１１Ａ、第１の上側端面４１１Ａと対向するように配置される第１の下側端面４１２Ａ、及び第１の上側端面４１１Ａと第１の下側端面４１２Ａとの間に連結される第１の前端面４１３Ａを備える。また、弾性片５は、予定平面Ｐに維持されるために、第１の調整可能な角度θ１の変更により変化されないように少なくとも２つの第１の保持ブロック４１Ａにおける２つの第１の上側端面４１１Ａにより支持されるつまり、第１の調整可能な角度θ１がどのように調整または変更されても弾性片５は２つの第１の上側端面４１１Ａの支持を介して予定平面Ｐに維持される。弾性片５が第１の調整可能な角度θ１の調整または変更により傾斜されてしまう問題は起こされない。
【００１５】
例えば、図７及び図８に示すように、第１の金型Ｍ１の第１の加工用カッターＭ１０、及び第２の金型Ｍ２の第２の加工用カッターＭ２０はそれぞれ、加工する前のキャップ本体４’における反対する２つの長辺側に挿入することができる。それにより、本考案はプレス加工によりそれぞれ２つの第１の保持ブロック４１Ａを形成することができる。
【００１６】
注目に値するのは、図５及び図９に示すように、２つの第１の保持ブロック４１Ａの延在方向は必要に応じて変更することができるが、２つの第１の保持ブロック４１Ａの延在方向がどのように変更されても、弾性片５は２つの第１の上側端面４１１Ａの支持を介して予定平面Ｐに維持される。弾性片５が２つの第１の保持ブロック４１Ａの延在方向の変化により傾くことがない。
【００１７】
［第２の実施形態］
図１０ないし図１２を参照する。本考案に係る第２の実施形態には、キャップ本体４と弾性片５とは複数の突破口を備えるキャップ構造Ｓを形成するように組み合わせるスライダー組立構造体Ｚを提供する。図４ないし図６、及び図１０ないし図１２の比較から分かるように、本考案に係る第２の実施形態と第１の実施形態との最大の違いは、第２の実施形態において、図１０ないし図１２に示すように、キャップ本体４は、互いに対応する２つの第２の内凹溝４０Ｂと、互いに対応すると共に２つの第２の内凹溝４０Ｂから延び出す２つの第２の保持ブロック４１Ｂと、互いに対応すると共にそれぞれ２つの第２の保持ブロック４１Ｂに近接するように構成される第２の貫通孔４２Ｂと、を備える。また、２つの第２の内凹溝４０Ｂはキャップ本体４の内面４００に凹設される。かつ、２つの第２の貫通孔４２Ｂは貫穿，以在キャップ本体４の内面４００と外面４０１との間に他の２つの突破口（すなわち、キャップ本体４の外面４０１から内向きに目打ちされた突破口）を形成するように、キャップ本体４を貫通して、かつ、弾性片５が２つの第２の保持ブロック４１Ｂにより係止されるように２つの第２の保持ブロック４１Ｂは、弾性片５に接触または当接する。それにより、２つの第２の内凹溝４０Ｂは予めにキャップ本体４の内面４００に形成することができるため、キャップ本体４における内面４００と外面４０１との間の厚さは効果的に小さくすることができる（即ち、薄くすることができる）。それにより本考案では、機械目打ちの手段を介して、簡単に第２の貫通孔４２Ｂと第２の保持ブロック４１Ｂとを同時に形成することができる。
【００１８】
さらに言えば、図１１に示すように、２つの第２の内凹溝４０Ｂは角状に配置してなるようにキャップ本体４の内面４００に設けられ、かつ、２つの第２の内凹溝４０Ｂはそれぞれキャップ本体４の反対する２つの末端（４０１１、４０１２）に近接するように設けられる。２つの第２の保持ブロック４１Ｂは角状に配置してなるようにそれぞれ２つの第２の内凹溝４０Ｂに設けられると共に、２つの第２の保持ブロック４１Ｂはそれぞれキャップ本体４の反対する２つの末端（４０１１、４０１２）に近接するように形成される。２つの第２の貫通孔４２Ｂは角状に配置してなるようにキャップ本体４の外面に設けられると共に、２つの第２の貫通孔４２Ｂはそれぞれキャップ本体４の反対する２つの末端（４０１１、４０１２）に近接するように形成される。つまり、２つの第２の内凹溝４０Ｂ及び２つの第２の保持ブロック４１Ｂはいずれもキャップ本体４の内面４００の側辺に位置されて、かつ、２つの第２の貫通孔４２Ｂはキャップ本体４の外面４０１の側辺に位置される。そのため、２つの第２の内凹溝４０Ｂ、２つの第２の保持ブロック４１Ｂ、または２つの第２の貫通孔４２Ｂの位置はおおよそキャップ本体４の反対する２つの末端（４０１１、４０１２）が９０度回転した位置に相当する。
【００１９】
例えば、図４及び図１０に示すように、第１の実施形態と同様に、第２の内凹溝４０Ｂ毎には、キャップ本体４の下面４０２に連結する第１の末端４０１Ｂ及び第１の末端４０１Ｂと反対すると共にキャップ本体４の下面４０２から離れるように設けられる第２の末端４０２Ｂ，が備えられる。かつ、第２の内凹溝４０Ｂの幅（図示なし）は第１の末端４０１Ｂから第２の末端４０２Ｂに向かって徐々に狭くなる。
【００２０】
また、図５、図６、図１１及び図１２に示すように、第２の保持ブロック４１Ｂ毎は対応する第２の内凹溝４０Ｂの第２の末端４０２Ｂと近接するように構成され、かつ、第２の貫通孔４２Ｂ毎は対応する第２の内凹溝４０Ｂの第２の末端４０２Ｂと近接するように構成される。
【００２１】
注目に値するのは、図４ないし図６に示すように、第２の保持ブロック４１Ｂ毎の内面４１０Ｂはキャップ本体４の内面４００から内方に横に延びていき（つまり、キャップ本体４の短軸方向ではなく、長軸方向に延びるように構成される）、かつ、第２の保持ブロック４１Ｂ毎の内面４１０Ｂはキャップ本体４の内面４００に対して第２の調整可能な角度θ２を傾斜するように形成される。また、第２の保持ブロック４１Ｂ毎には、第２の上側端面４１１Ｂ、與第２の上側端面４１１Ｂと対向するように設けられる第２の下側端面４１２Ｂ、及び第２の上側端面４１１Ｂと第２の下側端面４１２Ｂとの間に連結される第２の前端面４１３Ｂが備えられる。また、弾性片５は少なくとも２つの第２の保持ブロック４１Ｂの２つの第２の上側端面４１１Ｂにより予定平面Ｐに維持されるように支持され、第２の調整可能な角度θ２の変更により改変されないようにする。つまり、第２の調整可能な角度θ２はどのように調整又は変更されても、弾性片５は２つの第２の上側端面４１１Ｂの支持を介して予定平面Ｐに維持されるため、弾性片５が第２の調整可能な角度θ２の調整又は変更により傾斜される問題は起こされない。
【００２２】
注目に値するのは、図１１及び図１３に示すように、２つの第２の保持ブロック４１Ｂの延在方向は必要に応じて変更することができるが、２つの第２の保持ブロック４１Ｂの延在方向がどのように変更されても、弾性片５は２つの第２の上側端面４１１Ｂの支持を介して予定平面Ｐに維持される。弾性片５は２つの第２の保持ブロック４１Ｂの延在方向の変化により傾くことがない。
【００２３】
［実施形態による有益な効果］
本考案による有益な効果では、本考案が提供するキャップ構造Ｓ及びスライダー組立構造体Ｚは、「保持ブロック（４１Ａまたは４１Ｂ）毎の内面がキャップ本体４の内面４００に対して調整可能な角度（θ１またはθ２）を傾斜するように構成される」、及び「弾性片５被が保持ブロック（４１Ａまたは４１Ｂ）毎に支持され、予定平面Ｐに維持される。」という技術手段により、弾性片５が予定平面に維持されて、調整可能な角度（θ１又はθ２）の変更により変化されないようにすることができる。
【００２４】
さらに言えば、本考案実施形態が提供するキャップ構造Ｓはプレス加工により「互いに対応する少なくとも２つの第１の内凹溝４０Ａ」の構造を形成し、かつ、キャップ構造Ｓは、機械目打ち（例えば、ポンチにより目打ちを行う）の手段により、「互いに対応すると共に２つの第１の内凹溝４０Ａからそれぞれ延び出す少なくとも２つの第１の保持ブロック４１Ａ」及び「互いに対応すると共にそれぞれ２つの第１の保持ブロック４１Ａと近接するように構成される第１の貫通孔４２Ａ」を形成する。そのため、弾性片５がキャップ本体４の内面４００に配置されるとき、２つの第１の保持ブロック４１Ａは弾性片５を２つの第１の保持ブロック４１Ａにより係止されるように弾性片５と接触して、それにより、弾性片５がキャップ本体４内に係止される歩留り及び安定性を高めることができる。
【００２５】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。  
【符号の説明】
【００２６】
スライダー組立構造体    Ｚ
キャップ構造            Ｓ
摺動体                  １
第１の固定座            １１
鉤溝                    １１０
第２の固定座            １２
鉤孔                    １２０
収納空間                １３
引手                    ２      
末端部                  ２０
引手保持部              ３      
第１の末端部            ３１
第２の末端部            ３２
キャップ本体            ４      
末端部                  ４１、４２
内面                    ４００
外面                    ４０１
末端                    ４０１１、４０１２
下面                    ４０２
第１の内凹溝            ４０Ａ
第１の末端              ４０１Ａ
第２の末端              ４０２Ａ
第１の保持ブロック      ４１Ａ
内面                    ４１０Ａ
第１の上側端面          ４１１Ａ
第１の下側端面          ４１２Ａ
第１の前端面            ４１３Ａ
第１の貫通孔            ４２Ａ
第２の内凹溝            ４０Ｂ
第１の末端              ４０１Ｂ
第２の末端              ４０２Ｂ
第２の保持ブロック      ４１Ｂ
内面                    ４１０Ｂ
第２の上側端面          ４１１Ｂ
第２の下側端面          ４１２Ｂ
第２の前端面            ４１３Ｂ
第２の貫通孔            ４２Ｂ
キャップ本体            ４’
弾性片                  ５
幅                      Ｗ
第１の調整可能な角度    θ１
第２の調整可能な角度    θ２
予定平面                Ｐ
第１の金型              Ｍ１    
第１の加工用カッター    Ｍ１０
第２の金型              Ｍ２    
第２の加工用カッター    Ｍ２０
【図１】
0003220567.tif 000003
【図２】
0003220567.tif 000004
【図３】
0003220567.tif 000005
【図４】
0003220567.tif 000006
【図５】
0003220567.tif 000007
【図６】
0003220567.tif 000008
【図７】
0003220567.tif 000009
【図８】
0003220567.tif 000010
【図９】
0003220567.tif 000011
【図１０】
0003220567.tif 000012
【図１１】
0003220567.tif 000013
【図１２】
0003220567.tif 000014
【図１３】
0003220567.tif 000015
【手続補正書】
【提出日】平成31年1月16日(2019.1.16)
【手続補正１】
【補正対象書類名】実用新案登録請求の範囲
【補正対象項目名】全文
【補正方法】変更
【補正の内容】
【実用新案登録請求の範囲】
【請求項１】
キャップ本体及び弾性片を備えるキャップ構造であって、
前記キャップ本体は、互いに対応する少なくとも２つの第１の保持ブロックと、互いに対応すると共にそれぞれが少なくとも２つの前記第１の保持ブロックと近接するように構成される第１の貫通孔とを備え、
前記キャップ本体は内面、外面、及び前記内面と前記外面との間に連結される下面を備え、かつ、前記キャップ本体の前記内面と前記外面との間に複数の突破口における２つの前記突破口を形成するために、少なくとも２つの前記第１の貫通孔は前記キャップ本体を貫通するように構成され、
前記弾性片は前記キャップ本体の前記内面に設けられ、
前記弾性片を少なくとも２つの前記第１の保持ブロックにより係止されるように、少なくとも２つの前記第１の保持ブロックは前記弾性片と接触されており、
また、前記第１の保持ブロック毎の内面は前記キャップ本体の前記内面から内方に延びて、かつ、前記第１の保持ブロック毎の内面は前記キャップ本体の前記内面に対して第１の調整可能な角度を傾き、
また、前記第１の保持ブロック毎には、第１の上側端面、前記第１の上側端面と対向するように設けられる第１の下側端面、及び前記第１の上側端面と前記第１の下側端面との間に連結される第１の前端面が備えられて、かつ、前記弾性片は少なくとも２つの前記第１の保持ブロックの２つの前記第１の上側端面により支持され、所定平面に維持され、前記第１の調整可能な角度の変更により変化されない、キャップ構造。
【請求項２】
前記キャップ本体は、互いに対応する少なくとも２つの第１の内凹溝を備え、
少なくとも２つの前記第１の保持ブロックはそれぞれ、少なくとも２つの前記第１の内凹溝から延び出して、前記キャップ本体の前記内面に設けられる、請求項１に記載するキャップ構造。
【請求項３】
少なくとも２つの前記第１の内凹溝は角状に配置してなるように前記キャップ本体の前記内面に配置され、少なくとも２つの前記第１の内凹溝のそれぞれは前記キャップ本体の反対する２つの末端と近接するように形成され、
少なくとも２つの前記第１の保持ブロックは角状に配置してなるように少なくとも２つの前記第１の内凹溝にそれぞれ配置され、少なくとも２つの前記第１の保持ブロックはそれぞれ前記キャップ本体の反対する２つの末端と近接するように形成され、少なくとも２つの前記第１の貫通孔は角状に配置してなるように前記キャップ本体の前記外面に配置され、かつ、少なくとも２つの前記第１の貫通孔はそれぞれ、前記キャップ本体の反対する２つの末端と近接するように形成される、請求項２に記載するキャップ構造。
【請求項４】
前記第１の内凹溝毎には、前記キャップ本体の前記下面と連結される第１の末端と、前記第１の末端と反対するように形成されると共に前記キャップ本体の前記下面から離れるように形成される第２の末端と、が備えられ、
前記第１の内凹溝の幅は前記第１の末端から前記第２の末端に向かって徐々に狭くなる、請求項２に記載するキャップ構造。
【請求項５】
キャップ本体には、互いに対応する少なくとも２つの第２の内凹溝と、互いに対応すると共に少なくとも２つの前記第２の内凹溝からそれぞれ延び出す少なくとも２つの第２の保持ブロックと、互いに対応すると共に少なくとも２つの前記第２の保持ブロックとそれぞれ近接するように構成される少なくとも２つの第２の貫通孔と、が備えられ、
少なくとも２つの前記第２の内凹溝は前記キャップ本体の前記内面に設けられ、
前記キャップ本体の前記内面と前記外面との間に他の２つの前記突破口を形成するように、少なくとも２つの前記第２の貫通孔は前記キャップ本体を貫通するように構成され、
前記弾性片を少なくとも２つの前記第２の保持ブロックにより係止するように、少なくとも２つの前記第２の保持ブロックを前記弾性片に接続させ、
前記第２の保持ブロックごとの内面が前記キャップ本体の前記内面から内方に延びて、かつ、前記第２の保持ブロックごとの内面が前記キャップ本体の前記内面に対して第２の調整可能な角度を傾斜し、
前記第２の保持ブロック毎には、第２の上側端面、前記第２の上側端面と対向するように配置される第２の下側端面、及び前記第２の上側端面と前記第２の下側端面との間に連結される第２の前端面が備えられ、かつ、前記弾性片が前記第２の調整可能な角度の変更により変化されないために、前記所定平面に維持されるように、前記弾性片が少なくとも２つの前記第２の保持ブロックにおける２つの前記第２の上側端面により支持される、請求項１に記載するキャップ構造。
【請求項６】
少なくとも２つの前記第２の内凹溝は、角状に配置してなると共に、それぞれ前記キャップ本体の反対する２つの末端と近接するように、前記キャップ本体の前記内面に設けられ、
少なくとも２つの前記第２の保持ブロックは、角状に配置してなるようにそれぞれ少なくとも２つの前記第２の内凹溝に配置され、
少なくとも２つの前記第２の保持ブロックはそれぞれ前記キャップ本体の反対する２つの末端と近接し、
少なくとも２つの前記第２の貫通孔は、角状に配置してなると共に、それぞれ前記キャップ本体の反対する２つの末端と近接するように、前記キャップ本体の前記外面に設けられる、請求項５に記載するキャップ構造。
【請求項７】
鉤溝を有する第１の固定座と、鉤孔を有する第２の固定座と、を備える摺動体と、
末端部が前記第１の固定座と前記第２の固定座との間に配置される引手と、
前記鉤溝に配置される第１の末端部と前記鉤孔を通過する第２の末端部とを含み、前記摺動体に配置される引手保持部と、
反対する２つの末端部がそれぞれ前記第１の固定座と前記第２の固定座とに配置され、互いに対応する少なくとも２つの第１の保持ブロック、及び互いに対応すると共にそれぞれが少なくとも２つの前記第１の保持ブロックと近接する少なくとも２つの第１の貫通孔を含み、内面、外面、及び前記内面と前記外面との間に連結される下面を備え、かつ少なくとも２つの前記第１の貫通孔が前記内面と前記外面との間に２つの前記突破口を構成するために前記キャップ本体を貫通する、キャップ本体と、
前記引手保持部に当接するよう前記キャップ本体における前記内面と前記引手保持部との間に配置され、少なくとも２つの前記第１の保持ブロックに接触されることにより、少なくとも２つの前記第１の保持ブロックにより係止される弾性片と、
を備え、
前記第１の保持ブロック毎の内面は前記キャップ本体の前記内面から内方へ延びて、かつ前記第１の保持ブロック毎の内面は前記キャップ本体における前記内面に対して第１の調整可能な角度を傾斜し、
前記第１の保持ブロック毎には、第１の上側端面、前記第１の上側端面と対向するように配置される第１の下側端面、及び前記第１の上側端面と前記第１の下側端面との間に連結される第１の前端面を備え、かつ、前記弾性片は、少なくとも２つの前記第１の保持ブロックにおける２つの前記第１の上側端面により支持されることにより、所定平面に維持され前記第１の調整可能な角度の変更により変化されない、スライダー組立構造体。
【請求項８】
前記キャップ本体は互いに対応する少なくとも２つの第２の内凹溝、互いに対応すると共にそれぞれが少なくとも２つの前記第２の内凹溝から伸び出す少なくとも２つの第２の保持ブロック、及び対応すると共にそれぞれが少なくとも２つの前記第２の保持ブロックと近接する少なくとも２つの第２の貫通孔を備え、
少なくとも２つの前記第２の内凹溝は前記キャップ本体の前記内面に設けられ、少なくとも２つの前記第２の貫通孔は前記キャップ本体を貫通することにより、前記キャップ本体の前記内面と前記外面との間に他の２つの前記突破口を構成し、
少なくとも２つの前記第２の保持ブロックが前記弾性片に接触することにより、前記弾性片を少なくとも２つの前記第２の保持ブロックにより係止し、
前記第２の保持ブロックの内面は前記キャップ本体の前記内面から内方へ延びて、かつ、前記第２の保持ブロック毎の内面は前記キャップ本体の前記内面に対して第２の調整可能な角度を傾斜し、
前記第２の保持ブロック毎は、第２の上側端面、前記第２の上側端面と対向するように配置される第２の下側端面、及び前記第２上側端面と前記第２の下側端面との間に連結される第２の前端面を備え、かつ、前記弾性片は少なくとも２つの前記第２の保持ブロックにおける２つの前記第２の上側端面により支持され、前記所定平面に維持され、前記第２の調整可能な角度が変更することにより変化されない、請求項７に記載するスライダー組立構造体。
【請求項９】
少なくとも２つの前記第２の内凹溝は角状に配置してなるように前記キャップ本体の前記内面に設けられ、かつ、少なくとも２つの前記第２の内凹溝はそれぞれ前記キャップ本体における反対する２つの末端と近接し、
少なくとも２つの前記第２の保持ブロックは角状に配置してなるように少なくとも２つの前記第２の内凹溝にそれぞれ配置され、かつ、少なくとも２つの前記第２の保持ブロックはそれぞれ前記キャップ本体の反対する２つの末端に近接し、
少なくとも２つの前記第２の貫通孔角状に配置してなるように前記キャップ本体の前記外面に配置され、かつ、少なくとも２つの前記第２の貫通孔はそれぞれ前記キャップ本体の反対する２つの末端に近接する、請求項８に記載するスライダー組立構造体。
【請求項１０】
摺動体と、
前記摺動体に配置される引手保持部と、
末端部が前記摺動体と前記引手保持部との間に配置される引手と、
少なくとも２つの保持ブロック及び少なくとも２つの貫通孔が備えられて、前記摺動体に配置されるキャップ本体と、
前記引手保持部に当接するように前記キャップ本体内に配置される弾性片と、
を備え、
また、前記保持ブロック毎の内面は前記キャップ本体の前記内面に対して調整可能な角度を傾斜し、かつ、前記弾性片は前記保持ブロック毎により支持され、所定平面に維持されて、前記調整可能な角度の変更により変化されない、スライダー組立構造体。
【手続補正２】
【補正対象書類名】明細書
【補正対象項目名】０００５
【補正方法】変更
【補正の内容】
【０００５】
上記の課題を解決するために、本考案が採用する１つの技術的な手段は、摺動体、引手保持部、引手、キャップ本体及び弾性片を備える、スライダー組立構造体及びそのキャップ本体を提供する。前記引手保持部は前記摺動体に設けられる。前記引手の末端部が前記摺動体と前記引手保持部との間に配置される。前記キャップ本体は前記摺動体に配置されている、かつ、前記キャップ本体には少なくとも２つの保持ブロックと、少なくとも２つの貫通孔とが備えられる。前記弾性片が前記引手保持部に当接するように前記キャップ本体内に配置される。中でも、各前記保持ブロックの内面は、前記キャップ本体の前記内面に対して調整可能な角度を傾斜している。かつ、前記弾性片は、前記調整可能な角度の変更により変化されないように、各前記保持ブロックにより所定平面に維持される。
【手続補正３】
【補正対象書類名】明細書
【補正対象項目名】０００６
【補正方法】変更
【補正の内容】
【０００６】
本考案における１つの有益な効果としては、本考案が提供するキャップ構造及びスライダー組立構造体は、「各前記保持ブロックの内面は、前記キャップ本体の前記内面に対して調整可能な角度を傾斜している。」、及び「前記弾性片は、前記調整可能な角度の変更により変化されないように、各前記保持ブロックにより所定平面に維持される。」という技術事項により、前記弾性片を前記調整可能な角度の変更により変化されないように、各前記保持ブロックにより所定平面に維持されることができる。
【手続補正４】
【補正対象書類名】明細書
【補正対象項目名】００１４
【補正方法】変更
【補正の内容】
【００１４】
注目に値するのは、図４ないし図６に示すように、第１の保持ブロック４１Ａ（即ち、保持ブロック）毎の内面４１０Ａはキャップ本体４の内面４００から内方に横に延びるように構成され（即ち、キャップ本体４の短軸方向ではなく、長軸方向に沿って延びるように構成される）、かつ、第１の保持ブロック４１Ａ毎の内面４１０Ａはキャップ本体４の内面４００に対して第１の調整可能な角度θ１（即ち、調整可能な角度）を傾斜するように構成される。また、第１の保持ブロック４１Ａ毎は、第１の上側端面４１１Ａ、第１の上側端面４１１Ａと対向するように配置される第１の下側端面４１２Ａ、及び第１の上側端面４１１Ａと第１の下側端面４１２Ａとの間に連結される第１の前端面４１３Ａを備える。また、弾性片５は、所定平面Ｐに維持されるために、第１の調整可能な角度θ１の変更により変化されないように少なくとも２つの第１の保持ブロック４１Ａにおける２つの第１の上側端面４１１Ａにより支持される。つまり、第１の調整可能な角度θ１がどのように調整または変更されても弾性片５は２つの第１の上側端面４１１Ａの支持を介して所定平面Ｐに維持される。弾性片５が第１の調整可能な角度θ１の調整または変更により傾斜されてしまう問題は起こされない。
【手続補正５】
【補正対象書類名】明細書
【補正対象項目名】００１６
【補正方法】変更
【補正の内容】
【００１６】
注目に値するのは、図５及び図９に示すように、２つの第１の保持ブロック４１Ａの延在方向は必要に応じて変更することができるが、２つの第１の保持ブロック４１Ａの延在方向がどのように変更されても、弾性片５は２つの第１の上側端面４１１Ａの支持を介して所定平面Ｐに維持される。弾性片５が２つの第１の保持ブロック４１Ａの延在方向の変化により傾くことがない。
【手続補正６】
【補正対象書類名】明細書
【補正対象項目名】００２１
【補正方法】変更
【補正の内容】
【００２１】
注目に値するのは、図４ないし図６に示すように、第２の保持ブロック４１Ｂ毎の内面４１０Ｂはキャップ本体４の内面４００から内方に横に延びていき（つまり、キャップ本体４の短軸方向ではなく、長軸方向に延びるように構成される）、かつ、第２の保持ブロック４１Ｂ毎の内面４１０Ｂはキャップ本体４の内面４００に対して第２の調整可能な角度θ２を傾斜するように形成される。また、第２の保持ブロック４１Ｂ毎には、第２の上側端面４１１Ｂ、第２の上側端面４１１Ｂと対向するように設けられる第２の下側端面４１２Ｂ、及び第２の上側端面４１１Ｂと第２の下側端面４１２Ｂとの間に連結される第２の前端面４１３Ｂが備えられる。また、弾性片５は少なくとも２つの第２の保持ブロック４１Ｂの２つの第２の上側端面４１１Ｂにより所定平面Ｐに維持されるように支持され、第２の調整可能な角度θ２の変更により改変されないようにする。つまり、第２の調整可能な角度θ２はどのように調整又は変更されても、弾性片５は２つの第２の上側端面４１１Ｂの支持を介して所定平面Ｐに維持されるため、弾性片５が第２の調整可能な角度θ２の調整又は変更により傾斜される問題は起こされない。
【手続補正７】
【補正対象書類名】明細書
【補正対象項目名】００２２
【補正方法】変更
【補正の内容】
【００２２】
注目に値するのは、図１１及び図１３に示すように、２つの第２の保持ブロック４１Ｂの延在方向は必要に応じて変更することができるが、２つの第２の保持ブロック４１Ｂの延在方向がどのように変更されても、弾性片５は２つの第２の上側端面４１１Ｂの支持を介して所定平面Ｐに維持される。弾性片５は２つの第２の保持ブロック４１Ｂの延在方向の変化により傾くことがない。
【手続補正８】
【補正対象書類名】明細書
【補正対象項目名】００２３
【補正方法】変更
【補正の内容】
【００２３】
［実施形態による有益な効果］
本考案による有益な効果では、本考案が提供するキャップ構造Ｓ及びスライダー組立構造体Ｚは、「保持ブロック（４１Ａまたは４１Ｂ）毎の内面がキャップ本体４の内面４００に対して調整可能な角度（θ１またはθ２）を傾斜するように構成される」、及び「弾性片５被が保持ブロック（４１Ａまたは４１Ｂ）毎に支持され、所定平面Ｐに維持される。」という技術手段により、弾性片５が所定平面に維持されて、調整可能な角度（θ１又はθ２）の変更により変化されないようにすることができる。
【手続補正９】
【補正対象書類名】明細書
【補正対象項目名】００２６
【補正方法】変更
【補正の内容】
【００２６】
スライダー組立構造体    Ｚ
キャップ構造            Ｓ
摺動体                  １
第１の固定座            １１
鉤溝                    １１０
第２の固定座            １２
鉤孔                    １２０
収納空間                １３
引手                    ２      
末端部                  ２０
引手保持部              ３      
第１の末端部            ３１
第２の末端部            ３２
キャップ本体            ４      
末端部                  ４１、４２
内面                    ４００
外面                    ４０１
末端                    ４０１１、４０１２
下面                    ４０２
第１の内凹溝            ４０Ａ
第１の末端              ４０１Ａ
第２の末端              ４０２Ａ
第１の保持ブロック      ４１Ａ
内面                    ４１０Ａ
第１の上側端面          ４１１Ａ
第１の下側端面          ４１２Ａ
第１の前端面            ４１３Ａ
第１の貫通孔            ４２Ａ
第２の内凹溝            ４０Ｂ
第１の末端              ４０１Ｂ
第２の末端              ４０２Ｂ
第２の保持ブロック      ４１Ｂ
内面                    ４１０Ｂ
第２の上側端面          ４１１Ｂ
第２の下側端面          ４１２Ｂ
第２の前端面            ４１３Ｂ
第２の貫通孔            ４２Ｂ
キャップ本体            ４’
弾性片                  ５
幅                      Ｗ
第１の調整可能な角度    θ１
第２の調整可能な角度    θ２
所定平面                Ｐ
第１の金型              Ｍ１    
第１の加工用カッター    Ｍ１０
第２の金型              Ｍ２    
第２の加工用カッター    Ｍ２０